(57)【要約】  本発明は、少なくとも１つの外部医療用モジュール（３０１）、例えば血液フィルタを、医療用処理デバイス（２００）、特に血液処理デバイス上に取り外し可能に留めるための保持機構（１０１、１０２、１０３）に関し、当該保持機構（１０１、１０２、１０３）は、１つの第１のレセプタクル（１０１ａ、１０２ａ）および１つの第２のレセプタクル（１０１ｂ、１０２ｂ）を少なくとも備える。
2020512140.tif 000002
【特許請求の範囲】
【請求項１】
血液フィルタのような少なくとも１つの外部医療用モジュールを、医療用処理装置、特に血液処理装置に取り外し可能に保持または取り付けるためのホルダであって、前記ホルダは、少なくとも第１の受容ユニットおよび第２の受容ユニットを備える、ホルダ。
【請求項２】
前記第１の受容ユニットは、クランプジョーおよび任意選択で閉鎖要素を有するクランプまたはクランピングホルダであり、またはそれを備え、前記クランプジョーは、互いに対して移動可能であり、および／または互いに対する第１の位置から互いに対する第２の位置に移動可能であるように配置される、請求項１に記載のホルダ。
【請求項３】
前記第２の受容ユニットは、前記ホルダを、前記医療用装置の一部分上、特に前記医療用処理装置のバーまたはバー部分上に固定する、特に取り外し可能に固定するための固定部分である、またはそれを備える、請求項１または２に記載のホルダ。
【請求項４】
前記ホルダは、前記第１の受容ユニットおよび前記第２の受容ユニットに加えて、第３の受容ユニットを備える、請求項１〜３のいずれか一項に記載のホルダ。
【請求項５】
前記第１の受容ユニット、前記第２の受容ユニット、および前記第３の受容ユニットから成るグループのうちの少なくとも２つの要素は、クランプジョーおよび任意選択で閉鎖要素を有するクランプであり、またはそれを備え、前記クランプジョーは、互いに対して移動可能であり、および／または互いに対する第１の位置から互いに対する第２の位置に移動可能であるように配置される、請求項１〜４のいずれか一項に記載のホルダ。
【請求項６】
回転部分が、前記第１の受容ユニットと前記第２の受容ユニットとの間、および／または前記第１の受容ユニットと前記第３の受容ユニットとの間、および／または前記第２の受容ユニットと前記第３の受容ユニットとの間に配置され、前記回転部分は、前記第２の受容ユニットに対する前記第１の受容ユニットの回転を可能にする、請求項１〜５のいずれか一項に記載のホルダ。
【請求項７】
前記第１の受容ユニットならびに前記第２の受容ユニットは同一に具現化され、および／または前記第１の受容ユニットならびに前記第３の受容ユニットは同一に具現化され、および／または前記第２の受容ユニットならびに前記第３の受容ユニットは同一に具現化され、および／または前記第１の受容ユニット、前記第２の受容ユニット、ならびに前記第３の受容ユニットは同一に具現化される、請求項１〜６のいずれか一項に記載のホルダ。
【請求項８】
直線が前記第１の受容ユニットおよび前記第３の受容ユニットを通り、前記直線は、好ましくは、前記第２の受容ユニットを通らない、または好ましくは、前記第２の受容ユニットを通る、請求項４〜７のいずれか一項に記載のホルダ。
【請求項９】
好ましくは前記直線に沿う、前記第１の受容ユニットと前記第３の受容ユニットとの間の距離は少なくとも、好ましくは前記直線に沿う方向において、前記第１の受容ユニットの幅と同じくらいの大きさである、請求項４〜８のいずれか一項に記載のホルダ。
【請求項１０】
前記ホルダは、前記ホルダを支持するための支持構造物を備える、請求項１〜９のいずれか一項に記載のホルダ。
【請求項１１】
前記第１の受容ユニットは、前記支持構造物と前記第２の受容ユニットとの間に配置され、および／または前記支持構造物は、前記第１の受容ユニットおよび／または前記第２の受容ユニットに配置される、請求項１０に記載のホルダ。
【請求項１２】
医療用モジュール、特に透析フィルタまたは透析器であって、請求項１〜１１のいずれか一項に記載の少なくとも第１のホルダ、および請求項１〜１１のいずれか一項に記載の少なくとも第２のホルダに連結される、医療用モジュール。
【請求項１３】
少なくとも前記第１のホルダおよび前記第２のホルダの両方が前記モジュールに連結される、請求項１２に記載の医療用モジュール。
【請求項１４】
前記第２のホルダは、前記モジュールと少なくとも１つのさらなるモジュールまたはさらなるモジュールを受けるためのアダプタとの両方に連結される、請求項１２または１３に記載の医療用モジュール。
【請求項１５】
前記第２のホルダは、前記第１のホルダの前記第１の受容ユニットより上および下の両方で前記モジュールに連結される、請求項１２〜１４のいずれか一項に記載の医療用モジュール。
【請求項１６】
前記第２のホルダは、前記第１のホルダに対してその支持構造物を用いて自立するように配置される、請求項１２〜１５のいずれか一項に記載医療用モジュール。
【請求項１７】
請求項１〜１１のいずれか一項に記載の少なくとも第１のホルダおよび請求項１〜１１のいずれか一項に記載の少なくとも第２のホルダに連結される、医療用処理装置。
【請求項１８】
第１のモジュールに前記第１のホルダを介して連結され、前記第１のモジュールは少なくとも第２のホルダに連結され、前記第２のホルダは、第２のモジュールまたは第２のモジュールを受けるためのアダプタに連結され、前記第２のモジュールまたは前記アダプタは第３のホルダに連結される、請求項１７に記載の医療用処理装置。
【請求項１９】
アフェレシス療法のための装置、肝補助療法のための装置、酸素化のための装置、または血液処理装置、特に透析装置、特に血液濾過装置もしくは血液透析装置として実施される、請求項１７または１８に記載の医療用処理装置。
【発明の詳細な説明】
【技術分野】
【０００１】
本発明は、請求項１に記載のホルダに関する。本発明はさらに、請求項１２に記載の医療用モジュールまたは医療用機能機器、および請求項１７に記載の処理装置に関する。
【０００２】
フィルタ、ガス交換器、吸収器、または同様のもののようなモジュールを、患者を治療するための装置に取り外し可能に取り付け得るホルダは、従来から知られている。
【発明の概要】
【０００３】
本発明の目的は、さらなるホルダを提示することである。さらに、使い捨て品であり得る医療用モジュール、および処理装置が特定される。
【０００４】
本発明の目的は、請求項１に記載の特徴を有するホルダによって達成される。さらに、請求項１２に記載の特徴を有する医療用モジュール、および請求項１７に記載の特徴を有する処理装置によって達成される。
【０００５】
血液フィルタのような少なくとも１つの外部医療用モジュールを、医療用処理装置、特に血液処理装置に取り外し可能に取り付けるための本発明によるホルダは、少なくとも第１の受容ユニット（reception unit）および第２の受容ユニットを備える。
【０００６】
特に透析フィルタまたは透析器として具現化される本発明による医療用モジュールは、本発明による少なくとも第１のホルダおよび本発明による少なくとも第２のホルダに連結される。
【０００７】
本発明による処理装置は、本発明による２つのホルダを備える。
【０００８】
本明細書における実施形態のすべてにおいて、「〜であり得る」および「〜を有し得る」等の表現の使用は、それぞれ、「好ましくは〜である」または「好ましくは〜を有する」等と同義であり、本発明による一実施形態を例示することを意図している。
【０００９】
本発明による実施形態は、上記または下記の特徴のうちの１つまたはいくつかを備え得る。ここにおいて、本明細書で言及される特徴は、そのいずれの組合せにおいても、当業者が特定の組合せを技術的に不可能と認識しない限り、本発明による実施形態の主題であり得る。
【００１０】
本発明による実施形態は、従属請求項に記載の主題でもある。
【００１１】
本明細書で数値を表す語が言及されるときはいつでも、当業者はそれらを数値の下限の表示として理解するであろう。それが当業者を明白な矛盾に導かない限り、当業者は、例えば「１つ」という指定が「少なくとも１つ」を包含すると理解するであろう。この理解はまた、当業者にとって明白に技術的に可能であるときはいつでも、数値を表す語、例えば「１つ」が、代替的に「ちょうど１つ」を意味し得るという解釈として、本発明によって同等に包含される。両方が本発明によって包含され、本明細書では使用されるすべての数値を表す語に適用される。
【００１２】
本明細書で一実施形態が言及されるときはいつでも、それは本発明による例示的な実施形態を表す。
【００１３】
「上部」および「下部」という情報は、当業者によって不確かと思われる場合、それぞれの構成要素の、その意図された使用中の位置および／または向きを指す、絶対的または相対的な空間情報として理解されるべきである。
【００１４】
本明細書で「モジュール」が言及されるとき、それは、例えば第１のモジュールとして理解されることができる。
【００１５】
本発明では、モジュールは、医療用機能機器、フィルタ、血液フィルタ、カートリッジ、アダプタ、ガス交換器、吸着器、吸収器、または患者の治療に利用される別の機器であることができる。
【００１６】
モジュールは、使い捨て品または非使い捨て品であり得る。
【００１７】
いくつかの実施形態では、ホルダは、第２の受容ユニットに対する第１の受容ユニットの回転に対して係止するための係止デバイスを備えない。
【００１８】
いくつかの実施形態では、モジュールは機器ではなく、特に電気的構成要素を有する機器ではない。
【００１９】
いくつかの実施形態では、モジュールはチューブではなく、特に可撓性チューブではなく、および／またはかかるチューブを備えない。
【００２０】
任意選択で、モジュールは、チューブに連結され得るか、またはそれと一体的に製造され得る。しかしながら、ここにおいて、モジュールは、その一体的または連結されたチューブ部分によって、またはそれを用いてホルダに留められない。
【００２１】
いくつかの実施形態では、モジュールはチューブ形状ではなく、および／または可撓性がない。
【００２２】
いくつかの実施形態では、モジュールは、円筒形状を備える。モジュールは、外側パイプ部分を備え得、それはカバーによって前面／端面の一方または両方において閉じられる。前面／端面および／またはカバーは、チューブが配置され得る貫通開口部を備え得る。
【００２３】
いくつかの実施形態では、モジュールは４０ｃｍよりも長くない。
【００２４】
いくつかの実施形態では、ホルダは、血液処理装置に固定されるように設計されたデバイスに連結されない。このデバイスは、例えば処理装置の表面のための、カバーまたは被覆デバイスであり得、それは、そこにカートリッジ、フィルタ、または同様のものを固定するために設けられる。デバイスはプラスチックで作られ得る。それは大きくてよい。それは、プラスチックフィルムから作られた部分を備え得る。それは、処理装置の表面上またはその前に固定されることになる貫通開口部を備え得る。
【００２５】
いくつかの実施形態では、ホルダは、多部品のホルダではない。
【００２６】
いくつかの実施形態では、ホルダは、Ｕ字形状の要素を備えず、特にＵ字形状のフレーム要素を備えない。
【００２７】
いくつかの実施形態では、第１の受容ユニットは、クランプジョー（clamp jaw）および任意選択で閉鎖要素を有するクランプまたはクランピングホルダを備える、またはそれである。ここで、クランプジョーは、互いに対して移動可能であり、および／または互いに対する第１の位置から互いに対する第２の位置に移動可能であるように配置される。
【００２８】
いくつかの実施形態では、第２の受容ユニットは、固定部分（fixing section）である、またはそれを備える。後者は、医療用処理装置の一部分上に、またはそれに、特に医療用処理装置のバー部分上に、ホルダを固定、特に取り外し可能に固定する役割をする。
【００２９】
いくつかの実施形態では、ホルダは、第１の受容ユニットおよび第２の受容ユニットに加えて、第３の受容ユニットを備える。
【００３０】
いくつかの実施形態では、第１の受容ユニットおよび第２の受容ユニットの両方は、クランプジョーおよび任意選択の閉鎖要素を有するクランプを備える。ここで、クランプジョーは、互いに対して移動可能であり、および／または互いに対する第１の位置から互いに対する第２の位置に移動可能であるように配置される。
【００３１】
いくつかの実施形態では、第１および第３の受容ユニットは、そして任意選択で第２の受容ユニットも、各々がクランプジョー（またはジョーとして具現化されないクランプ部分）および任意選択で任意選択の閉鎖要素を有する少なくとも１つのクランプを備える。ここで、クランプジョーは、これに限定されることなく例示的に、任意選択の閉鎖要素によって補助されながら互いに対して移動可能であり、および／または互いに対する第１の位置から互いに対する第２の位置に移動可能であるように配置される。
【００３２】
いくつかの実施形態では、回転部分が、第１の受容ユニットと第２の受容ユニットとの間、および／または第１の受容ユニットと第３の受容ユニットとの間に配置される。当該回転部分は、第２の受容ユニットに対する第１の受容ユニットの回転、または第３の受容ユニットに対する第１の受容ユニットの回転を可能にする。
【００３３】
回転部分は、１つの回転軸周り、２つ以上の回転軸周りの回転を可能にし得る。それは適宜に構成され得る。
【００３４】
本発明によるいくつかの実施形態では、本発明によるホルダにおける第１の受容ユニットおよび第２の受容ユニットは同一である。
【００３５】
いくつかの実施形態では、本発明によるホルダにおける第１の受容ユニットおよび第３の受容ユニットは同一である。
【００３６】
いくつかの実施形態では、第２および第３の受容ユニットは同一である。
【００３７】
いくつかの実施形態では、本発明によるホルダにおける第１、第２、および第３の受容ユニットは同一である。
【００３８】
いくつかの実施形態では、直線が、第１の受容ユニットおよび第３の受容ユニットを通る。それは、好ましくは第２の受容ユニットを同様に通らない。代替的に直線は、好ましくは第２の受容ユニットも通る。
【００３９】
いくつかの実施形態では、第１の受容ユニットと第３の受容ユニットとの間に、好ましくは直線に沿って分離がある。この分離は少なくとも、好ましくは直線に沿う方向において、第１の受容ユニットの幅と同じくらいの長さである。
【００４０】
いくつかの実施形態では、本発明によるホルダは、ホルダを支持するための支持構造物を備える。
【００４１】
いくつかの実施形態では、第１の受容ユニットは、支持構造物と第２の受容ユニットとの間に配置される。
【００４２】
いくつかの実施形態では、支持構造物は、第１の受容ユニットおよび／または第２の受容ユニットに配置される。
【００４３】
支持構造物は、第２のホルダに設けられ得るが、他の任意のホルダにも設けられ得る。
【００４４】
いくつかの実施形態では、少なくとも第１のホルダおよび第２のホルダの両方がモジュールに連結される。
【００４５】
いくつかの実施形態では、第２のホルダは、モジュールと少なくとも１つのさらなるモジュールまたはさらなるモジュールを受けるためのアダプタとの両方に連結される。
【００４６】
いくつかの実施形態では、第２のホルダは、第１のホルダの第１の受容ユニットより上および下の両方でモジュールに連結される。
【００４７】
いくつかの実施形態では、第２のホルダは、第１のホルダに対してその支持構造物を用いて自立するように配置される。
【００４８】
いくつかの実施形態では、医療用処理装置は、第１のホルダを介して第１のモジュールに連結される。ここで、第１のモジュールは少なくとも第２のホルダに連結され、ここにおいて、第２のホルダは、第２のモジュールに、または第２のモジュールを受けるためのアダプタに連結される。ここで、第２のモジュールまたはアダプタは第３のホルダに連結される。
【００４９】
いくつかの実施形態では、医療用処理装置は、アフェレシス療法のための装置、肝補助療法のための装置、酸素化のための装置、または血液処理装置、特に透析装置、特に血液濾過装置もしくは血液透析装置として実施される。
【００５０】
いくつかの実施形態では、少なくとも１つまたはすべてのホルダが、処理装置の一部分とモジュールとの間、または各第１のモジュールと各第２のモジュール（またはそれぞれの第２のモジュールのためのアダプタ）との間に配置される。ここでホルダは、上述されたもの以外のさらなる構造物には連結されない、および／またはそれによって支持されない。
【００５１】
いくつかの実施形態では、３つより多くのモジュールが、好ましくは直列に、または縦続接続（cascade）としてホルダによって処理装置に連結される。
【００５２】
いくつかの実施形態では、３つより多くのホルダが設けられる。
【００５３】
いくつかの実施形態では、受容ユニットは、固定部分である。
【００５４】
本発明によるいくつかの実施形態では、受けることとは、保持または固定または連結することである。
【００５５】
いくつかの実施形態では、ホルダは、１つまたはいくつかの受容ユニットが、残りのホルダにおいて保持または互いに連結される少なくとも連結部分を備える。
【００５６】
いくつかの実施形態では、ホルダの連結部分または別の部分は、１つまたは複数の受容部を、ホルダのさらなる部分に取り外し可能に、好ましくは手で、および／または道具を用いずに、連結するデバイスを備える。
【００５７】
かかるデバイスは、ラッチング閉鎖、スナップイン閉鎖、クランピング閉鎖、クリック閉鎖、またはコネクタ、もしくは同様のものであり得る。
【００５８】
いくつかの実施形態では、ホルダの少なくとも１つの受容部は、第２のホルダの少なくとも１つの受容ユニットに、特に取り外し可能に固定されるように具現化および／または使用される。一方が他方によって引き継がれる２つの受容ユニットは、互いに合致するように設計され得る。
【００５９】
本発明による実施形態の一部または全部は、上記および／または以下の利点のうちの１つ、いくつか、またはすべてを含み得る。
【００６０】
１つの利点は、本発明によって、患者の治療に必要とされるモジュールが治療のために使用される処理装置に取り外し可能に連結されるため、より大きい自由度が達成されるということであり得る。受容ユニットが処理装置上に設けられていない、または空間の不足により受容ユニットが設けられないモジュールは、依然として、本発明によって処理装置に間接的に固定され得る。
【００６１】
ここで、いくつかのモジュールは有利に、縦続配置で処理装置に間接的に固定され得る。
【００６２】
処理装置にモジュールを取り外し可能に固定することの必要とされるまたは所望の安定性が、支持構造物によって有利に確実にされ得る。
【００６３】
利用されるホルダのいくつかが互いに同一である場合、とりわけ調達時に利点が達成され得る。
【００６４】
例えばラッチング閉鎖、スナップイン閉鎖等によってホルダが分解され得るという事実の利点は、例えば、手で、および／または簡易な機構を使用して、任意の第１の受容ユニットが任意の第２の受容ユニットに連結されてホルダを形成できるということであり得る。よってホルダは、使用者の具体的かつ一時的な、変化する可能性のあるニーズまたは要件に簡易に適応され得る。
【００６５】
下記で、本発明は、同封の図面に関連して例示的に説明され、ここで同一の参照番号は同じまたは同様の構成要素を指す。
【図面の簡単な説明】
【００６６】
【図１】処理装置に直接または間接的に連結される、本発明による２つのホルダの第１の実施形態を示す。
【図２】斜め上方から本発明によるホルダを示す（すなわち上側を示す）。
【図３】変形例で図１の配置を示す。
【図４】図３に例示された本発明による実施形態の１つを示す。
【図４ａ】２つのクランプを有する本発明によるホルダの例示的な実施形態を示す。
【図５】図４の例示に関連して、第２のホルダの第１の受容ユニットと第２の受容ユニットとの間に配置された回転部分を示す。
【図６】さらなる第３の受容ユニットを有する、本発明によるさらなる実施形態における本発明によるホルダを示す。
【図７】支持構造物を有するホルダの本発明によるさらなる実施形態を示す。
【図８】支持構造物がホルダに対して横から自立する、図７の実施形態の追加的または代替的な実施形態を示す。
【図９】支持構造物が第１のホルダに対して上部から自立する、図７および／または図８の実施形態の追加的または代替的な実施形態を示す。
【図１０】本発明のさらなる実施形態を示す。
【図１１】連続して配置された、本発明による例えば３つのホルダの縦続配置を示す。
【図１１ａ】図１１に概略的に示される第２または第３のホルダの例示的な実施形態を示す。
【図１２】本発明によるホルダのさらなる実施形態を示す。
【詳細な説明】
【００６７】
図１は、処理装置２００に連結された、本発明によるホルダの第１の実施形態を示す。
【００６８】
本発明によるホルダは、ここで一旦第１のホルダ１０１として、および一旦第２のホルダ１０２として示される。第１のホルダ１０１は、第１の受容ユニット１０１ａおよび第２の受容ユニット１０１ｂを備える。第２のホルダ１０２は、第１の受容ユニット１０２ａおよび第２の受容ユニット１０２ｂを備える。
【００６９】
処理装置２００は、第１のホルダ１０１がその第２の受容ユニット１０１ｂを介して取り外し可能に連結されるバー部分２０１を備える。第１のホルダ１０１は、その第１の受容ユニット１０１ａを介して、例えば透析器または血液フィルタであり得る第１のモジュール３０１に取り外し可能に連結される。
【００７０】
第１のモジュール３０１は次に、第２のホルダ１０２の第１の受容ユニット１０２ａを通して取り外し可能に連結される。よって第１のモジュール３０１は、第１のホルダ１０１のための終点として使用され、第１のホルダによって処理装置２００に固定される。同時に、第１のモジュール３０１は、第２のホルダ１０２のための支持部または始点としての役割をし、当該第２のホルダは、この方法で直接的ではなくむしろ間接的に第１のモジュール３０１を介して処理装置２００に取り外し可能に連結される。
【００７１】
第２のホルダ１０２は、それを用いて第１のモジュール３０１に固定されるその第１の受容ユニット１０２ａに加えて、第２の受容ユニット１０２ｂを備える。
【００７２】
第２のホルダ１０２の第２の受容ユニット１０２ｂは、図１の例では、第２のモジュール３０２の一例としてのガス交換器の受容の役割をする。しかしながら、第２のモジュール３０２は、他の任意の物体でもよく、ガス交換器に限定されるものではない。第２のモジュール３０２は、図１にあるように、任意選択でカートリッジの形態を有し得る。
【００７３】
参照番号３０２は、第２のモジュールを表示する代わりに、代替的に、第２のモジュール３０２が取り付けられ得る例えばアダプタを表示し得る。より明確にするために、概略的に示された第２のモジュール３０２に加えてアダプタ３０２’が示されており、当該アダプタは、第２のモジュール３０２として使用され得、当該アダプタ３０２に挿入され得る、例えばガス交換器のようなさらなる構成要素を受ける役割を、それ自体がし得る。
【００７４】
一方の第１の受容ユニット１０１ａおよび１０２ａ、および／または他方の第２の受容ユニット１０１ｂおよび１０２ｂは、任意選択で同一であり得る。ここにおいて、第１のホルダ１０１および第２のホルダ１０２は、全体として同一であり得る。
【００７５】
第２の受容ユニット１０２ｂに挿入される部分３０２ｂは、バー部分２０１と同じまたは同様の直径を有利に有し得る。この場合、第１のホルダ１０１および第２のホルダ１０２は、いずれにしても互いに同一であり得る。
【００７６】
図２は、本発明による第１のホルダ１０１を示す。
【００７７】
第１の受容ユニット１０１ａは、クランプジョー１０１ａ１および１０１ａ２を有するクランプである。ばね、ねじ連結、ラッチング機構、または同様のものの形態の閉鎖要素が設けられるが、図２には示されていない。
【００７８】
第２の受容ユニット１０１ｂは、任意選択でバー部分２０１を受けるように設計される。ここでは、それは例示的にクランプではないが、同様にクランプであってもよい。同様に、第１の受容ユニット１０１ａは第２の受容ユニット１０１ｂのようであり得、すなわち必ずしもクランプとして設計されなくてもよい。
【００７９】
図３は、次の相違点のある図１の本発明による配置を示す。ホルダ１０２の第２の受容ユニット１０２ｂは、さらなる構成要素、さらなるモジュール３０２、（場合によりさらなる）フィルタ、ガス交換器、吸収器、および同様のものの受容の役割をするアダプタである。この目的のために、第２のホルダ１０２の第２の受容ユニット１０２ｂは、第２のホルダ１０２がそれを用いてモジュール３０１に連結される第１の受容ユニット１０２ａのように設計され得る。
【００８０】
図４は、図３で言及された実施形態を示す。図４ａは、本明細書では例示的に、第１の受容ユニット１０２ａおよび第２の受容ユニット１０２ｂとして、任意選択で同一であり得る、２つのクランプを備える第２のホルダ１０２の可能な実施形態を示す。
【００８１】
図５は、図４の例示に基づいて、ただしそれに限定されることなく、第２のホルダ１０２の第１の受容ユニット１０２ａと第２の受容ユニット１０２ｂとの間に回転部分１０２ｄが設けられることを示す。
【００８２】
この回転部分１０２ｄによって、第２のホルダ１０２の第１の受容ユニット１０２ａおよび第２の受容ユニット１０２ｂは、互いに対して回転され得る。これは、第２のホルダ１０２を使用する適用の範囲を有利に増加または拡大し得る。回転部分１０２ｄによって可能にされる回転の回転軸は、例示的な実施形態では、第２のホルダ１０２を通じて、またはその長手方向に対して平行に延在し得る。
【００８３】
図６は、図５の例示に基づいて、ただしそれに限定されることなく、第２のホルダ１０２が、第１の受容ユニット１０２ａおよび第２の受容ユニット１０２ｂに加えて、第３の受容ユニット１０２ｃを備え得ることを示す。
【００８４】
第１の受容ユニット１０２ａおよび第３の受容ユニット１０２ｃは、ここでは例示的に同一である。両方が第１のモジュール３０１に取り外し可能に連結されるか、または第１のモジュールを受ける。とりわけそれらの間の距離により、共にそれらは、第２のホルダ１０２を、第２の受容ユニット１０２ｂによって第２のホルダに連結される第２のモジュール３０２と連結する安定性を増加させる。
【００８５】
第１の受容ユニット１０２ａと第３の受容ユニット１０２ｃとの間に設けられ、図６で両矢印によって指定された距離は、任意選択で少なくとも第１のホルダ１０１の第１の受容ユニット１０１ａの幅と同じくらいの大きさである。
【００８６】
安定性の増加は、図７に示される第２のホルダ１０２によっても達成され得、当該第２のホルダ１０２は、図６に示される第３の受容ユニット１０２ｃに加えて支持構造物１０２ｅを備える。
【００８７】
支持構造物１０２ｅは、図７の例では、第１のホルダ１０１より下に配置され、下から第１のホルダに対して自立し得る。
【００８８】
本明細書で支持構造物が言及されるときはいつでも、これは、特に支持することを意図または行うために構成された部分を指し得る。これは任意選択で突出部であり得る。それは任意選択で、図７に示されるように、それが第２のホルダ１０２の上面を通じて、またはその受容部のうちの１つを通じて延在する平面のエリアで終わるように配置され得る。
【００８９】
図８は、図７の実施形態の追加的または代替的な実施形態を示し、当該実施形態では、支持構造物１０２ｅは、第１のホルダ１０１、例えば第１の受容ユニット１０１ａに対して横から自立する。それは代替的に、第１のモジュール３０１に対して、または別の構造物に対して自立し得る。
【００９０】
図８の例示的な実施形態では、支持構造物は、第２のホルダ１０２の長手方向に対して、第２のホルダ１０２の第１の受容ユニット１０２ａまたは第２の受容ユニット１０２ｂに対して、角度をなし、ここでは任意選択で直角をなす。
【００９１】
図９は、図７および／または図８の実施形態の追加的または代替的な実施形態を示す。図９では、支持構造物１０２ｅは、第１のホルダ１０１に対して、例えば第１の受容ユニット１０１ａ、第２の受容ユニット１０１ｂ、または第１の受容ユニット１０１ａと第２の受容ユニット１０１ｂとの間の連結部分に対して、上部から自立する。
【００９２】
図１０は、本発明のさらなる実施形態を示す。
【００９３】
第１のモジュール３０１は、順に第１のホルダ１０１に、および第２のホルダ１０２に連結される。第２のホルダ１０２は、それを用いて第１のモジュール３０１に取り外し可能に連結される第１の受容ユニット１０２ａに加えて、および先の図から既知である第２の受容ユニット１０２ｂに加えて、さらなる第３の受容ユニット１０２ｃを備える。第１の受容ユニット１０２ａおよび第３の受容ユニット１０２ｃが同じ１つの第１のモジュール３０１の受容の役割をするので同一の設計であり得る図６とは異なり、第３の受容ユニット１０２ｃは、例示的に第１の受容ユニット１０２ａと同一の設計ではなく、むしろ任意選択で図６または図７の第２の受容ユニット１０２ｂにどうにかまたは全く同じようであり得、すなわち、それは、例えばさらなるモジュール３０３を受けるように設けられ、構成されている。
【００９４】
代替的に、第１の受容ユニット１０２ａは、本明細書では第３の受容ユニット１０２ｃのように具現化され得る。
【００９５】
図１１は、連続して配置された、例えば３つのホルダ１０１、１０２、および１０３（代替的に３つより多くのホルダがあり得る）の縦続配置を示す。本明細書では、連続してとは、第１のホルダ１０１が第１のモジュール３０１を保持し、第１のモジュール３０１、例えば血液フィルタが第２のホルダ１０２を保持し、第２のホルダ１０２が、第２のモジュール３０２、例えばガス吸着器を保持し、第２のモジュール３０２が、第１の受容ユニット１０３ａおよび第２の受容ユニット１０３ｂを備える第３のホルダ１０３を保持し、第３のホルダ１０３が最後にまたさらなるモジュール３０３を保持することを意味する。
【００９６】
図１１ａは、図１１に概略的に示される第２のホルダ１０２の例示的な実施形態を示す。第２のホルダ１０２は、そこで図１１の第３のホルダ１０３と同様または同一であり得る。
【００９７】
図１１ａのホルダ１０２は、第１の受容ユニット１０２ａと、第１の受容ユニット１０２ａと同様または同一である第２の受容ユニット１０２ｂとを備える。それらは、それらの間に置かれた連結部分１０２ｆによって互いに連結される。
【００９８】
第１の受容ユニット１０２ａおよび第２の受容ユニット１０２ｂの両方は、クランプ部分として具現化される。
【００９９】
この目的のために、第１の受容ユニット１０２ａは、第１のクランプジョー１０２ａ１および第２のクランプジョー１０２ａ２を備える。
【０１００】
クランピングジョー１０２ａ１、１０２ａ２の両方には弾性があるので、閉鎖要素は、この実施形態では必要ない。第１の受容ユニット１０２ａが、例えば血液フィルタ上に移動されると、それらは互いから離れるように移動し、血液フィルタが、その最大直径でそれらの自由端１０２ａ１−１および１０２ａ１−２を通過していくと、それらは少なくとも自由端を伴い互いに向かって再び移動する。
【０１０１】
図１１ａの第１の受容ユニット１０２ａは、第１のクランプジョー１０２ａ１および第２のクランプジョー１０２ａ２と共に２つの弾性部分を備える。しかしながら、いくつかの場合では、上述された２つのクランピングジョーのうちの１つのみを弾性的にすることが十分であり得る。
【０１０２】
自由端１０２ａ１−１、１０２ａ１−２の一方または両方は任意選択で、図１１ａに示されるように、第１または第２のクランプジョー１０２ａ１、１０２ａ２の残部から離れるように延在し得る。それらは任意選択で、クランプジョーの主要部分の湾曲とは反対の湾曲を描いて設計され得る。後者は、例えば血液フィルタを第１の受容ユニット１０２ａに挿入することを容易にし得る。さらに、自由端１０２ａ１−１、１０２ａ１−２は、使用者が動かすためのハンドルとしての役割をし得る。
【０１０３】
上記のように、第２の受容ユニット１０２ｂは、第１の受容ユニット１０２ａのように設計され得る。
【０１０４】
ホルダ１０２は、第１の受容ユニット１０２ａ、第２の受容ユニット１０２ｂ、および連結部分１０２ｆから成り得る。
【０１０５】
図１１ａの連結部分１０２ｆは、他の実施形態の連結部分と全く同じように、２部片または複数部片であり得、それらを取り外し可能に連結する、好ましくは手で、および／または道具を用いずに取り外し可能である、対応するデバイスを備え得る。かかるデバイスは、ラッチング閉鎖、スナップイン閉鎖、クランピング閉鎖、クリック閉鎖、または同様のものであり得る。
【０１０６】
図１２は、本発明によるホルダのさらなる実施形態、例えば、第１の受容ユニット１０２ａ、第２の受容ユニット１０２ｂ、および第３の受容ユニット１０２ｃとして、任意選択で同一であり得る、３つのクランプを備える第２のホルダ１０２を示す。
【０１０７】
３つの受容ユニット１０２ａ、１０２ｂ、１０２ｃは、図１２に示されるように、連結部分１０２ｆによって互いに連結され得る。しかしながら、連結部分１０２ｆそれ自体に機能が装備され得、例えば、それは、次にアダプタを受けるように構成された受容ユニットであり得る。
【０１０８】
３つのクランプを備える代わりに、図１２のホルダはより多くのクランプも備え得る。
【０１０９】
クランプのみを備える代わりに、受容ユニットの１つまたは複数はまた、例えば先の図２の第２の受容ユニット１０１ｂのように、異なって設計され得る。
【０１１０】
図１２のホルダは、例えば図１０の配置で使用され得る。
【０１１１】
連結部分１０２ｆは、図１１ａのそれと同様に、共に当該連結部分または個別の受容部１０１ａ、１０２ａ等を取り外し可能に保持するデバイスを備え得る。
【符号の説明】
【０１１２】
１０１…第１のホルダ
１０１ａ…第１の受容ユニット
１０１ａ１…クランプジョー、第１のクランプジョー
１０１ａ２…クランプジョー、第２のクランプジョー
１０１ｂ…第２の受容ユニット
１０２…第２のホルダ
１０２ａ…第１の受容ユニット
１０２ａ１…クランプジョー、第１のクランプジョー
１０２ａ２…クランプジョー、第２のクランプジョー
１０２ａ１−１…自由端
１０２ａ１−２…自由端
１０２ｂ…第２の受容ユニット
１０２ｃ…第３の受容ユニット
１０２ｄ…回転部分
１０２ｅ…支持構造物
１０２ｆ…連結部分
１０３…第３のホルダ
１０３ａ…第１の受容ユニット
１０３ｂ…第２の受容ユニット
２００…処理装置
２０１…バーまたはバー部分
３０１…第１のモジュール
３０２…第２のモジュール、または第２のモジュールのためのアダプタ
３０２ｂ…第２のモジュールまたはアダプタの部分
３０２’…アダプタ
３０３…さらなるモジュール、またはさらなるモジュールのためのアダプタ
【図１】
2020512140.tif 000003
【図２】
2020512140.tif 000004
【図３】
2020512140.tif 000005
【図４−４ａ】
2020512140.tif 000006
【図５】
2020512140.tif 000007
【図６】
2020512140.tif 000008
【図７】
2020512140.tif 000009
【図８】
2020512140.tif 000010
【図９】
2020512140.tif 000011
【図１０】
2020512140.tif 000012
【図１１】
2020512140.tif 000013
【図１１ａ】
2020512140.tif 000014
【図１２】
2020512140.tif 000015
【国際調査報告】
2020512140.tif 000016
2020512140.tif 000017
2020512140.tif 000018
2020512140.tif 000019